(57)【要約】  手乾燥装置は、手を配置可能な処理空間に向かって空気流を噴出させるノズルが設けられたケーシングと、ケーシングに収納されてノズルから空気流を送り出す送風部と、ノズルから噴出された空気流によって手から吹き飛ばされた水を貯留する貯水領域（６３）と、貯水領域（６３）に貯留された水を外部へ排水するドレンタンク排水口（６５）と、を有するドレンタンク（６）と、貯水領域（６３）に配置されて、貯水領域（６３）に貯留された水を殺菌する抗菌素子（７０）と、を備える。
2020245995.tif 000002
【特許請求の範囲】
【請求項１】
手を配置可能な処理空間に向かって空気流を噴出させるノズルが設けられたケーシングと、
前記ケーシングに収納されて前記ノズルから前記空気流を送り出す送風部と、
前記ノズルから噴出された前記空気流によって手から吹き飛ばされた水を貯留する貯水領域と、前記貯水領域に貯留された水を外部へ排水するドレンタンク排水口と、を有するドレンタンクと、
前記貯水領域に配置されて、前記貯水領域に貯留された水を殺菌する抗菌素子と、
を備えることを特徴とする手乾燥装置。
【請求項２】
前記ドレンタンクの上方に設けられて前記手から吹き飛ばされた水を受ける水受け部と、
前記水受け部の底部に設けられて前記水受け部が受けた水を下方へ流下させる水受け排水口と、
を備え、
前記水受け排水口の鉛直下方に少なくとも前記貯水領域の一部が位置していること、
を特徴とする請求項１に記載の手乾燥装置。
【請求項３】
前記抗菌素子の少なくとも一部は、前記水受け排水口の直下に配置されていること、
を特徴とする請求項２に記載の手乾燥装置。
【請求項４】
前記ドレンタンクは、
前記ドレンタンクの内底面に設けられて前記ドレンタンクの側壁の高さより低い高さを有する堰と、
前記堰によって前記貯水領域と仕切られた排水領域と、
備え、
前記ドレンタンク排水口が、前記排水領域に設けられていること、
を特徴とする請求項１から３のいずれか１つに記載の手乾燥装置。
【請求項５】
前記堰における少なくとも一部は、メッシュ状の形状を有するメッシュ形状部であること、
を特徴とする請求項４に記載の手乾燥装置。
【請求項６】
前記堰における少なくとも一部は、取り外し可能な前記メッシュ形状部であること、
を特徴とする請求項５に記載の手乾燥装置。
【請求項７】
前記抗菌素子は、アルカリ性の抗菌剤を含むこと、
を特徴とする請求項１から６のいずれか１つに記載の手乾燥装置。
【請求項８】
前記抗菌素子は、抗菌剤が含浸された粒形状の水溶性ガラスを複数含むこと、
を特徴とする請求項１から７のいずれか１つに記載の手乾燥装置。
【請求項９】
前記水溶性ガラスは、メッシュ形状を有する容器またはメッシュ形状を有する袋に入れられていること、
を特徴とする請求項８に記載の手乾燥装置。
【請求項１０】
前記ドレンタンク排水口に、前記ドレンタンク排水口から排水された水が流れる排水管が取り付けられていること、
を特徴とする請求項１から９のいずれか１つに記載の手乾燥装置。
【発明の詳細な説明】
【技術分野】
【０００１】
本発明は、洗浄後の濡れた手を乾燥させるための手乾燥装置に関する。
【背景技術】
【０００２】
従来、温風空気または高速空気を濡れた手に当てることで手を乾燥させる手乾燥装置が知られている。高速空気を用いる手乾燥装置は、高速空気によって吹き飛ばされた水を貯留するドレンタンクが必要である。また、ドレンタンクは、長期間にわたる水の貯留による腐敗臭の発生を避けるために、頻繁に清掃する必要がある。特許文献１には、腐敗臭の発生抑制のため、水受けカップの底部に高吸水樹脂シートと抗菌剤含有布とからなる抗菌吸水シートが配置された手乾燥装置が開示されている。
【先行技術文献】
【特許文献】
【０００３】
【特許文献１】特開平１１−１８９９９号公報
【発明の概要】
【発明が解決しようとする課題】
【０００４】
しかしながら、上記特許文献１に開示された手乾燥装置は、水受けカップに滴下した水を蒸発させることを前提としている。このため、使用頻度が多い場所で使用される場合には、水受けカップの容量に対して、水受けカップに滴下した水の蒸発が追いつかず、管理者が水受けカップを取り外して水受けカップの水を捨てる排水作業が頻繁に発生する。【０００５】
本発明は、上記に鑑みてなされたものであって、排水作業が不要であり、メンテナンスが容易で清潔な状態を維持できる手乾燥装置を得ることを目的とする。
【課題を解決するための手段】
【０００６】
上述した課題を解決し、目的を達成するために、本発明にかかる手乾燥装置は、手を配置可能な処理空間に向かって空気流を噴出させるノズルが設けられたケーシングと、ケーシングに収納されてノズルから空気流を送り出す送風部と、ノズルから噴出された空気流によって手から吹き飛ばされた水を貯留する貯水領域と、貯水領域に貯留された水を外部へ排水するドレンタンク排水口と、を有するドレンタンクと、貯水領域に配置されて、貯水領域に貯留された水を殺菌する抗菌素子と、を備える。
【発明の効果】
【０００７】
本発明にかかる手乾燥装置は、排水作業が不要であり、メンテナンスが容易で清潔な状態を維持できる、という効果を奏する。
【図面の簡単な説明】
【０００８】
【図１】本発明の実施の形態１にかかる手乾燥装置の正面図
【図２】本発明の実施の形態１にかかる手乾燥装置の断面図であり、図１におけるＩＩ−ＩＩ線に沿った断面図
【図３】本発明の実施の形態１にかかる手乾燥装置の側面図
【図４】本発明の実施の形態１にかかる手乾燥装置のドレンタンクの断面図であり、図３におけるＩＶ−ＩＶ線に沿った断面図
【図５】本発明の実施の形態１にかかる手乾燥装置のドレンタンクの断面図であり、図３におけるＶ−Ｖ線に沿った断面図
【図６】本発明の実施の形態１にかかる抗菌素子の一例を示す模式図
【図７】本発明の実施の形態１にかかる手乾燥装置のドレンタンクにおけるメッシュ形状部の一例を示す模式図
【発明を実施するための形態】
【０００９】
以下に、本発明の実施の形態にかかる手乾燥装置を図面に基づいて詳細に説明する。なお、この実施の形態によりこの発明が限定されるものではない。
【００１０】
実施の形態１．
図１は、本発明の実施の形態１にかかる手乾燥装置１００の正面図である。図２は、本発明の実施の形態１にかかる手乾燥装置１００の断面図であり、図１におけるＩＩ−ＩＩ線に沿った断面図である。図３は、本発明の実施の形態１にかかる手乾燥装置１００の側面図である。図４は、本発明の実施の形態１にかかる手乾燥装置１００のドレンタンク６の断面図であり、図３におけるＩＶ−ＩＶ線に沿った断面図である。図５は、本発明の実施の形態１にかかる手乾燥装置１００のドレンタンク６の断面図であり、図３におけるＶ−Ｖ線に沿った断面図である。
【００１１】
図１から図３に示すように、手乾燥装置１００の外殻をなすケーシング１は、手を乾燥するために人が立つ手乾燥装置１００の正面側および側面側に手挿入口２を有し、手挿入口２に続く空間であって手を配置可能な処理空間を形成する手挿入部３を備えており、手を挿抜できるようにしてある。ケーシング１は、後述する高圧空気流発生装置８および図示しない制御回路といった構成部を内部に収容する。手挿入部３は、ケーシング１の正面下部に、正面と両側面が開放した開放シンク状の凹部として形成されており、正面側および両側面側から手を挿抜できるようにしてある。
【００１２】
手挿入部３の両側面側と底部側と後ろ側には、手から吹き飛ばされた水滴を受ける水受け部４が形成されている。水受け部４は、複数の部品によって構成されており、手挿入部３の後ろ側において手乾燥装置１００の高さ方向に延在して設けられた立壁面を有する背面部である背面側水受け部４ａと、手挿入部３の底部側に設けられた底面部である底面側水受け部４ｂとを備える。すなわち、水受け部４は、上端が手挿入部３の上面の一部に繋がり、下方へほぼ鉛直に延出し、下方端から前方に向かって延出し、前後方向においてケーシング１の前方側の先端とほぼ同じ位置まで延出して設けられている。したがって、水受け部４は、手挿入部３の底部側から後ろ側にわたって、手乾燥装置１００の側面に沿った断面において断面Ｌ形状に設けられている。
【００１３】
背面側水受け部４ａは、手挿入部３の後ろ側に設けられている。底面側水受け部４ｂは、背面側水受け部４ａの下部につながり手乾燥装置１００の正面側に向かって延在してケーシング１に固定された固定底面部４１ｂと、前方に延出した部分の一部であってドレンタンク６の上部を覆い後述するドレンタンク６に対して着脱自在に設けられたトレイ形状の着脱底面部４２ｂとに分割されている。背面側水受け部４ａと固定底面部４１ｂとは、一体に形成されており、またケーシング１の一部を構成している。着脱底面部４２ｂは、ドレンタンク６とともにケーシング１に対して着脱可能である。
【００１４】
着脱底面部４２ｂは、ドレンタンク６の上部の前方側に着脱可能に配置され、ドレンタンク６の上部の前方側を覆う。また、着脱底面部４２ｂは、固定底面部４１ｂの下方に設けられたケーシング１の保持部分からドレンタンク６を外した場合には、ドレンタンク６と一体となって一緒に本体側から外れる。また、着脱底面部４２ｂとドレンタンク６とを分離することもできる。
【００１５】
図２に示すように着脱底面部４２ｂは、手乾燥装置１００の前方に向かうにしたがって下向きに傾斜しており、傾斜の下端に水受け排水口５が設けられている。水受け排水口５は、水受け部４の底部に設けられて水受け部４が受けた水を下方へ流下させる。着脱底面部４２ｂの後方側の端部領域が、固定底面部４１ｂの前方側の端部領域の上方において、上面視において固定底面部４１ｂの前方側の端部領域と空隙を空けて重なっていることにより、水受け排水口５が構成されている。
【００１６】
固定底面部４１ｂと着脱底面部４２ｂとの下方には、水受け排水口５から滴下する水を貯留するドレンタンク６が配置されている。ドレンタンク６は、固定底面部４１ｂの下方に設けられたケーシング１の保持部分に対して抜き差し自在とされており、ケーシング１に対して着脱可能とされている。ドレンタンク６の詳細については後述する。
【００１７】
手挿入部３の内面には、シリコン系の撥水性コーティングもしくはフッ素系の撥水性コーティング、酸化チタン等の親水性を有する材料のコーティングといったコーティングが施され、または抗菌剤が含浸され、手挿入部３の内面に汚れが付着するのを軽減したり、細菌が繁殖するのを低減したりするようにしてある。
【００１８】
手挿入部３の上部には、手挿入部３に向かって下方に高速空気を吹き出すノズル１２が設けられている。すなわち、ケーシング１には、手を挿入可能な処理空間に向かって空気を噴出させるノズル１２が設けられている。ノズル１２の背面側の近くには、手挿入部３における手の有無を検知する手検知センサ１３が設けられている。
【００１９】
手挿入部３の上方には、背面側の手乾燥装置１００の外殻をなすベース７とケーシング１とで箱体状の空間が構成される。箱体状の空間内には、ＤＣ（Ｄｉｒｅｃｔ  Ｃｕｒｒｅｎｔ）ブラシレスモーターと、ＤＣブラシレスモーターによって回転するターボファンとにより構成された空気流発生部である高圧空気流発生装置８と、手検知センサ１３における手の検知信号に対応して高圧空気流発生装置８の運転を制御する図示しない制御回路と、が組み込まれている。高圧空気流発生装置８は、ケーシング１に収納され、ノズル１２から吹き出す空気流を生成してノズル１２に空気流を送り出す送風部である。なお、ＤＣブラシレスモーターの代わりに、整流子モーターまたは誘導電動機が用いられてもよい。
【００２０】
また、箱体状の空間内には、手挿入部３よりも上方でケーシング１の側面１ａに設けられた吸気口９と高圧空気流発生装置８の吸気側とを連通する吸気風路１０と、高圧空気流発生装置８の排気側とノズル１２とを連通する排気風路１１と、が設けられている。排気風路１１の途中であってノズル１２より上流側には、高圧空気流発生装置８から送られてくる空気を加熱して温風化させるヒーター１４が設けられている。
【００２１】
手挿入部３よりも上方に位置するケーシング１の側面１ａには、吸気口９が形成されたメンテナンスパネル１５が配置されている。メンテナンスパネル１５の表面の一部においては、背面側から前面側に向かうにしたがって、左右方向における中央側に向かって傾斜する傾斜面が設けられている。そして、傾斜面の前面側の縁部とメンテナンスパネル１５の裏面との間に設けられた隙間によって吸気口９が構成されている。
【００２２】
メンテナンスパネル１５が取り外されたケーシング１の奥側には、手乾燥装置１００の運転状態を変更する不図示の操作スイッチ部が配置されている。操作スイッチ部には、制御回路への通電の入り切りを行う電源スイッチと、ノズル１２からの吹き出し風の風速の強弱を切り替えたり、ヒーター１４の入り切りを行う切替スイッチがある。
【００２３】
つぎに、ドレンタンク６の詳細について説明する。図４に示すように、ドレンタンク６は、水を貯水できるように底部６１と、底部６１の全周囲が上方に延出した壁部６２と、を有するカップ状、すなわち凹状に形成されている。ドレンタンク６の底部６１の内底面６１ａの一部には、上方に延びる仕切り壁である堰６６が設けられている。堰６６は、ドレンタンク６の内部を、貯水領域６３と排水領域６４とに仕切っている。
【００２４】
上面視における貯水領域６３の面積と排水領域６４との面積の比率は、「貯水領域６３の面積≧排水領域６４の面積」であることが好ましい。
【００２５】
堰６６の高さは、貯水領域６３の全周囲の壁のうち堰６６を除く部分の高さよりも低くなっている。すなわち、堰６６の高さは、貯水領域６３の全周囲の壁部６２のうち堰６６を除く部分の高さよりも低くなっている。また、排水領域６４の底部にはドレンタンク６の外部に開口するドレンタンク排水口６５が設けられている。
【００２６】
水受け排水口５の鉛直下方、すなわち水受け排水口５の直下には、貯水領域６３の一部が位置しており、ドレンタンク排水口６５から滴下した水は必ず最初に貯水領域６３に導かれる。すなわち、水受け排水口５は、貯水領域６３の鉛直上方に設けられている。貯水領域６３に水が貯水され続け、堰６６の高さを越えると、堰６６の高さを越えた水は排水領域６４に導かれ、ドレンタンク排水口６５からドレンタンク６の外へ排水される。これにより、手乾燥装置１００は、使用頻度が多い場合でも管理者による排水作業が不要であり、メンテナンスが容易である。
【００２７】
貯水領域６３には、水が通過できる網状の袋の中に、抗菌剤が含浸されたビーズ状の水溶性ガラスが、複数収納された抗菌素子７０が配置されている。手から吹き飛ばされた水滴には、雑菌、手の汚れ、洗剤残り、およびその他のさまざまな成分が含まれている。このため、手から吹き飛ばされた水滴をそのままドレンタンク排水口６５から排水する構成の場合、ドレンタンク排水口６５には、手の乾燥が行われるたびに上記のような水が常に集まってくる。このため、ドレンタンク排水口６５は、乾燥することが少なく、常時、菌が供給され、更に菌にとって栄養が供給され続けるので菌が繁殖しやすい。このため、ドレンタンク排水口６５で菌が増殖し、ドレンタンク排水口６５から外の使用者へ異臭が漂う、ドレンタンク排水口６５がヌメリ等で詰まってしまうことがある、という問題があった。
【００２８】
しかし、手乾燥装置１００の構成では、手から吹き飛ばされた水を貯水領域６３に一旦貯め、抗菌素子７０から抗菌剤を水中に溶出させることで、貯水領域６３に貯められた水を、抗菌剤を十分に含んだ水にして殺菌した後にドレンタンク排水口６５から排水する。これにより、手乾燥装置１００は、ドレンタンク排水口６５の詰まりおよび異臭の発生を抑制しながら、ドレンタンク６の外へ排水を行うことができる。
【００２９】
図６は、本発明の実施の形態１にかかる抗菌素子７０の一例を示す模式図である。手から吹き飛ばされた水は皮脂等の油分を含むため、貯水領域６３に配置される抗菌素子７０はアルカリ性の抗菌剤を含有することが好ましい。抗菌素子７０は、水中に抗菌剤を溶出するため、板状よりも表面積が大きくなる粒形状であることが好ましく、溶出を妨げないようなメッシュ状の容器もしくは袋に収納されて、貯水領域６３に配置される。図６においては、側面および上面がメッシュ状とされた抗菌素子７０の例を示している。
【００３０】
水受け排水口５を経由してドレンタンク６に貯水される水を効率良く殺菌するために、水受け排水口５の少なくとも一部の鉛直下方に抗菌素子７０を配置することが好ましい。これにより、水受け排水口５から滴下した水が、滴下した際に最初に抗菌素子７０に接触する可能性を高くすることができ、貯水される水を効率良く殺菌することができる。
【００３１】
また、手から吹き飛ばされた水と共にケーシング１および水受け部４に付着した埃および髪の毛等の異物が水受け排水口５から流入してくる。このため、堰６６の少なくとも一部をメッシュ状の形状にすることで、埃および髪の毛等の異物を堰６６におけるメッシュ状の形状の部分で捕集することができ、ドレンタンク排水口６５の詰まりを防ぐことができる。水受け排水口５に埃および髪の毛等の異物を捕集できる構造を設けると、汚れの堆積が使用者に視認されて手乾燥装置１００の美観を損ねる。堰６６の少なくとも一部に異物を捕集できる構造を設けることで、手乾燥装置１００の美観を維持することができる。
【００３２】
図７は、本発明の実施の形態１にかかる手乾燥装置１００のドレンタンク６におけるメッシュ形状部６６１の一例を示す模式図である。たとえば、堰６６の高さ方向において、堰６６の上面から下方に向かって予め決められた幅の部分の少なくとも一部をメッシュ状の形状を有するメッシュ形状部６６１とすることができる。貯水領域６３に貯水されてメッシュ形状部６６１を超える高さまで達した水は、メッシュ形状部６６１を通って排水領域６４に流れ、ドレンタンク排水口６５からドレンタンク６の外へ排水される。
【００３３】
堰６６の少なくとも一部のメッシュ状の形状は取り外しが容易にでき、メッシュに捕集された埃や髪の毛等をドレンタンク６を取り外して清掃する手間を削減することができる。たとえば、メッシュ形状部６６１は、ドレンタンク６の内底面６１ａから上方に突出して設けられた堰本体部６６２から、上方に取り外すことができるように構成されてもよい。すなわち、メッシュ形状部６６１は、堰本体部６６２に対して着脱可能に構成されてもよい。
【００３４】
なお、上記においては、ドレンタンク排水口６５から外部の空間へ水を排出する場合について示しているが、手乾燥装置１００が設置されている空間において床に水を滴下できない場合などには、ドレンタンク排水口６５の外部に排水パイプを設けて、ドレンタンク６から遠く離れた場所へ水を排水してもよい。すなわち、たとえば図４に示すように、ドレンタンク排水口６５に、ドレンタンク排水口６５から排水された水が流れる排水管８０が取り付けられてもよい。この場合、排水パイプの詰まりを抑制することができるという効果も得られる。
【００３５】
また、上記においては、固定底面部４１ｂと着脱底面部４２ｂとを段差を設けて形成することで水受け排水口５を形成する場合について示したが、固定底面部４１ｂまたは着脱底面部４２ｂに穴状に水受け排水口５を形成してもよい。
【００３６】
上記のように構成された手乾燥装置１００は、手から吹き飛ばされた水を手乾燥装置１００の外部に排水する際に、手から吹き飛ばされた水を敢えて一旦ドレンタンク６に貯水し、ドレンタンク６に貯水された水を抗菌素子７０の抗菌剤によって確実に殺菌してから排水する構成とされている。そして、ドレンタンク６に貯水し、ドレンタンク６に貯水された水に異物が混ざっている場合でも、異物の材質によっては抗菌剤によって溶解または軟化させることが可能であり、異物を消滅させる、または異物を流れやすくすることが可能である。これにより、手乾燥装置１００では、ドレンタンク排水口６５の詰まりおよび異臭の発生を抑制しながら、ドレンタンク６の外へ排水を行うことができる。
【００３７】
また、手乾燥装置１００は、堰６６を設けることにより、貯水領域６３に貯水された水の水位が堰６６の高さを越えた場合に、貯水領域６３に貯水された水が排水領域６４に導かれてドレンタンク排水口６５からドレンタンク６の外へ排水される。これにより、手乾燥装置１００では、手から吹き飛ばされてドレンタンク６に流れた水は、ドレンタンク６の外へ直ぐには排水されず、貯水領域６３に貯水される。これにより、ドレンタンク６に流れた水に抗菌素子７０の抗菌剤を溶出させる時間が確保されており、ドレンタンク６に流れた水が抗菌素子７０の抗菌剤によって確実に殺菌される時間が確保されている。
【００３８】
また、堰６６の高さの直下の位置まで貯水領域６３に貯水されているときに、水受け排水口５から貯水領域６３に滴下した水が直ぐに堰６６を越えて排水領域６４に流れないように、上面視において水受け排水口５とドレンタンク排水口６５とは、予め決められた離間距離だけ離れた状態で配置される。離間距離は、抗菌剤が含侵されたビーズ状の水溶性ガラスに含まれる抗菌剤の量および水中への抗菌剤の溶出のしやすさなどの諸条件を考慮して決められればよい。
【００３９】
なお、上記においては、水受け部４を固定底面部４１ｂと着脱底面部４２ｂとに分割した例を示したが、水受け部４は全体が一体で形成され、ドレンタンク６だけが着脱可能な構造とされてもよい。
【００４０】
つぎに、利用者が手乾燥装置１００を使用して手を乾燥させる際の手乾燥装置１００の動作について説明する。操作スイッチ部の電源スイッチをオンにすると、制御回路に通電されることにより、手乾燥装置１００が使用可能状態となる。
【００４１】
そして、使用者が濡れた手を手挿入口２から手挿入部３内に手首付近まで入れると、手検知センサ１３によって手挿入部３への手の挿入が検知される。手検知センサ１３は、手挿入部３への手の挿入を検知すると、制御回路に手検知信号を送信する。制御回路は、手検知センサ１３から送信された手検知信号に基づいて、高圧空気流発生装置８を作動させる。
【００４２】
高圧空気流発生装置８が作動すると、手乾燥装置１００の外の空気がメンテナンスパネル１５に設けられた吸気口９から吸い込まれる。吸気口９から吸い込まれた空気は、吸気風路１０に吸い込まれる。
【００４３】
吸気風路１０に吸い込まれた空気は、吸気風路１０を通って、高圧空気流発生装置８の吸込側から吸い込まれる。高圧空気流発生装置８は、吸気側から吸い込んだ空気を高圧空気に変換して排気側から排気する。高圧空気流発生装置８から排気された高圧空気は、排気風路１１を通り、ノズル１２から高い運動エネルギーを持つ高速空気流に変換され、下方に向かって手挿入部３内に吹き出される。ノズル１２から吹き出された高速空気流の噴出方向は、真下方向よりもわずかに背面側へ傾くように構成されている。
【００４４】
ノズル１２から吹き出された高速空気流は、手挿入部３に挿入されている濡れた手に当り、手に付着した水分を手の表面から剥離して吹き飛ばして手を乾燥させることができる。さらに、手挿入部３内で手を挿抜させることによって、手全体に付着していた水滴がすべて排除され、手が乾燥処理される。なお、図示しないヒーター切替スイッチでヒータースイッチをオンにしている場合には、ヒーター１４が通電され排気風路１１を通る高圧空気が加熱されるため、ノズル１２からは温風が吹き出され、冬場などにおいても使用感がよくなる。
【００４５】
手から吹き飛ばされた水は、水受け部４で受け止められ、水受け部４の表面を下方に流下し、水受け排水口５を経由してドレンタンク６に貯水される。
【００４６】
手の乾燥処理終了後、手を手挿入部３から抜き出すと、手挿入部３から手が抜かれたことが手検知センサ１３によって検知される。手検知センサ１３は、手挿入部３から手が抜かれたことを検知すると、制御回路に不検知信号を送信する。制御回路は、手検知センサ１３から送信された不検知信号に基づいて、高圧空気流発生装置８を停止させる。手から吹き飛ばされた水滴は、前傾構造とされた水受け部４の底部の水受け排水口５に向かって流下し、水受け排水口５からドレンタンク６に収容される。なお、手検知センサ１３は、手挿入部３に手が無い場合には不検知信号を送信せずに、手検知信号の送信を停止する構成とされてもよい。
【００４７】
上述したように、手乾燥装置１００は、手から吹き飛ばされた水を一旦ドレンタンク６に貯水し、ドレンタンク６に貯水された水を抗菌素子７０によって殺菌してからドレンタンク排水口６５から排水する。これにより、手乾燥装置１００では、使用頻度が多い場合でも管理者による排水作業が不要であり、メンテナンスが容易である。
【００４８】
また、手乾燥装置１００は、抗菌素子７０から溶出する粒状の抗菌剤により、ドレンタンク６に溜まった水からの異臭およびヌメリの発生を抑制でき、ドレンタンク６に設けられたドレンタンク排水口６５およびドレンタンク排水口６５に取り付けられる排水管８０における汚れの堆積を低減することができる。これにより、手乾燥装置１００では、ドレンタンク６に設けられたドレンタンク排水口６５およびドレンタンク排水口６５に取り付けられる排水管８０が汚れの堆積によって詰まることがなく、ドレンタンク６を頻繁に清掃する必要が無く、清潔でメンテナンスが容易な手乾燥装置１００を得ることができる。
【００４９】
したがって、手乾燥装置１００によれば、ドレンタンク６に溜まった水の管理者による排水作業が不要であり、メンテナンスが容易で清潔な状態を維持できる、という効果を奏する。
【００５０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５１】
１  ケーシング、１ａ  側面、２  手挿入口、３  手挿入部、４  水受け部、４ａ  背面側水受け部、４ｂ  底面側水受け部、５  水受け排水口、６  ドレンタンク、７  ベース、８  高圧空気流発生装置、９  吸気口、１０  吸気風路、１１  排気風路、１２  ノズル、１３  手検知センサ、１４  ヒーター、１５  メンテナンスパネル、４１ｂ  固定底面部、４２ｂ  着脱底面部、６１  底部、６１ａ  内底面、６２  壁部、６３  貯水領域、６４  排水領域、６５  ドレンタンク排水口、６６  堰、７０  抗菌素子、８０  排水管、１００  手乾燥装置、６６１  メッシュ形状部、６６２  堰本体部。
【図１】
2020245995.tif 000003
【図２】
2020245995.tif 000004
【図３】
2020245995.tif 000005
【図４】
2020245995.tif 000006
【図５】
2020245995.tif 000007
【図６】
2020245995.tif 000008
【図７】
2020245995.tif 000009
【国際調査報告】
2020245995.tif 000010
2020245995.tif 000011
2020245995.tif 000012
2020245995.tif 000013